Podtech/llm-jp-corpus-v4-ja_patent huggingface dataset:
(57)【要約】      （修正有）【課題】家庭より生ずる使用済み水をトイレ洗浄水として再利用するための便器及びその関連装置に関するものである。【解決手段】便器中の汚水を急速に防臭槽に流入させ、換気扇及びサイホン部水封により防臭を計りながら外部に流出させる。そのため、便器の構造がシンプルになり維持管理をより簡素化させるものである。【選択図】図１
2004190464.tif 000002
【特許請求の範囲】
【請求項１】
便器下部溜水部辺より排水口までを垂直に所定の径まで絞り、
それに止水弁（ボール型）を取り付けた物
【請求項２】
便器内の汚物混合水悪臭を防止しながら排水を行う特殊槽
【発明の詳細な説明】
この発明は・・・・・・現在、便器洗浄水として多くは可飲水（水道水）が使用されているが・・・・・・家庭内等で生ずる使用済み水（主として台所水、風呂水）を、その目的で再使用するものである。
そのため特に防臭対策には充分配慮し、便器本体及びその防臭槽を接続させ、即ちシステムとして使用するものである。
これより便器内の汚物混合水（以下「汚水」という）が悪臭防水槽の汚水排水管より流出するまでのフローに従い説明を行う。
トイレ使用後、フラッシュバルブを開き洗浄水が流入しはじめるが、本装置の流入法は便器本体（１）の上部水路（１−１）より先ず洗浄水が入り、その水路中に置かれた洗浄水分流ガイドプレート（２−３）により３分割され、３ヶ所の主流出口（２−１）より便器内部に流入する。便器内で先ず比較的ゆるやかな左旋回流が発生する。やゝ遅れて（２〜３秒後）下部に接続されているボール型止水弁（１−３）を“開”にする。
これにより、便器下部までの絞り形状の影響により汚水旋回流は急速な渦巻となり悪臭防止槽（４）の洗浄混合水受口（４−１）に流入する。
一方、同槽の他方には悪臭吐出口（４−２）を設け、それにパイプ等を接続しその先端に換気扇を取付け悪臭の吸引を同時に行うものである。
そのため槽内は外気より若干負圧となるため、汚水流下速度の加速も計られ、同時に便器本体からの悪臭の外部漏れも防止できるものである。
同槽（４）に流入した汚水は・・・・・・従来の便器で観られる・・・・・・旋回流をおこし、サイホン作用により下部の汚水排水管（４−３）より外部に流出されるものである。
尚、トイレ不使用時には同槽下部の水封と悪臭吐出口の換気扇により防臭作用を行うものである。
又、便器等の清掃のために洗浄水流入口（２−４）に水道水流入管も接続するものである。
ここで、洗浄水として使用する使用済み水（再利用水）に関し説明を加える。
同水は一時的に庭などに設置された貯留槽に流入させ必要に応じ、種々なる手段によりトイレタンクに送り込むものである。
尚、貯留槽からの悪臭発生（嫌気性発酵）防止のため、必要に応じ小型送風機により曝気を行うことも配慮している。
【発明＜考案＞の効果】
１．本発明は水道水の有効利用を大幅に拡げたものである。そのため各家庭に於ける使用水量の著しい減量がみられ、経済的負担も相当削減されるものと確信するものである。国家的見地より考察しても相当なものと思われる。
又、本法には雨水の使用も可能であり、貯留槽への流入工事を行えば、その有効利用も期待出来るものである。
２．次に便器本体の構造が極めてシンプル化されたことである。
そのため、その清掃作業が極めて短期間に簡単に、しかもより念入りに出来る。ここでその手順を述べる。
簡単な清掃の際は洗浄水流入口（２−４）に接続の水道水を流すだけで充分と思われる。
然し、それ以外の場合に関しては以下の通りである。
先ず、水路カバー（１−２）を外し、洗浄水分流ガイドプレート（２−３）を取出し、洗浄水水路（１−１）などブラシ等で清掃を行ない、それぞれを元の状態にセットすれば終了となる。
尚、水路には残水現象がなきよう、その底部を外側に向け若干の勾配を付け、複数の洗浄水補助出口（２−２）からも流出させ、その現象を防止するものである。
３．便器本体を任意に乾燥状態にすることが出来る。
先項の念入り清掃の一連の操作を行えば、必要時、何時でもトイレを乾燥状態におくことが可能である。
【図面の簡単な説明】
【図１】便器断面図
【図２】便器及び水路平面図
【図３】水路カバー断面図
【図４】悪臭防止槽平面図
【図５】悪臭防止槽断面図
【図１】
2004190464.tif 000003
【図２】
2004190464.tif 000004
【図３】
2004190464.tif 000005
【図４】
2004190464.tif 000006
【図５】
2004190464.tif 000007
(57)【要約】【課題】プレキャストコンクリート薄肉床版の、製作過程において、埋め込むカイザートラス材の浮き、抜け防止を従来の補強手段に代わり、素早く、確実に行いたい。【解決手段】薄肉床版の配筋の一部と、カイザートラス筋下弦材の交わる交点を、細くも強靭なワイヤーで、曲げ加工されたクリップで挟み、固定して浮き、抜け防止をする。【選択図】図１
2004190466.tif 000002
【特許請求の範囲】
【請求項１】
薄肉床版の配筋の一部と、カイザートラス筋下弦材の交わる交点を、解かれる事の無い、堅個なワイヤー素材を用いて特殊曲げ加工形状を設けて、部材どうしを、素早く、確実に繋ぐクリップの材料及び形状を持ったもの。
【請求項２】
部材どうしを、確実に繋ぐ事であっても、床版下面の被りに悪さをしないよう、窮めて細い５ｍｍを超えない素材の活用。
【発明の詳細な説明】
【０００１】
【発明の属する技術分野】本願発明は、プレキャストコンクリート薄肉床版を製造する過程にて使用する、カイザートラス筋の、抜け防止用クリップに関する。
【０００２】
【従来の技術】従来、プレキャストコンクリート薄肉床版を製造するに当たり、床版の下端配筋ユニットと、其の上に置く、カイザートラス筋の足元交差部分をなまし鉄線にて結束、固定する。又、製作された薄肉床版を、吊り上げる際はカイザートラス材トップ筋に、吊りフックを掛けることが、一般に採られていますが、トラス筋抜け防止等も考慮して、カイザートラス材に引き抜き応力の受ける部分には、トラス下弦材に。補強鉄筋を渡してトラスの、抜け防止の策を取る。
【０００３】
又、他では、カイザートラス材に、引き抜き応力を受けさせない様、別な箇所に、吊り用の金物を埋め込む作業が必要になる。
【０００４】
【発明が解決しようとする課題】上記施工方法のように、作業員が補強鉄筋を組み込んだり、又、別に金物を埋め込んだりする作業をしていると、非常に手間がかかり、作業効率がよくない。
【０００５】
【課題を解決するための手段】上記課題を解決するために、本願請求項１記載の発明は、薄肉床版の配筋の一部と、カイザートラス筋の、交わる箇所に吊り上げの際にも、解かれる事の無い曲げ加工を施した、ワイヤー材をクリップ形状にして、簡単に、確実に、セット出来るものにする。
【０００６】
請求項２記載の発明は、プレキャストコンクリート薄肉床版の性格上、床版下面の被り確保に努めることで、ワイヤー素材には窮めて細いピアノ線同等の素材を使用する。
【０００７】
【発明の実施の形態】以下に、本発明の実施例を図面に基づき説明する。図１は説明用の取り付け要領の姿図であって、薄肉床版の下端配筋と其の上に置かれる、カイザートラス筋の納まりと、本発明のクリップを掛けた状態を示す。
【０００８】
図２は本発明クリップの、単品姿図で加工形状の説明も併設する。
【０００９】
図３は薄肉床版に、カイザートラスを置いて、本発明のクリップを使用した部位の側面詳細図である。
【００１０】
【実施例】以下、適宜図面を参照しながら本発明の実施例を詳述する。
【００１１】図２は、本発明クリップの形状図で、クリップの組み込み手前の状態を示し、又、図３では下端配筋とカイザートラスを挟み込みクリップ端部を閉め込んだ際の状態を示す。
【００１２】すなわち本発明クリップは図２の形状のものを薄肉床版の配筋一方向の鉄筋を、カイザートラス下弦材の交差箇所に下弦材上部からクリップ両先端部イ、ロを、各々股いで下端配筋の下側を通してから上に引き上げクリップ元、ハの締めているカイザートラス下弦材の手前の上まで突き出して、先ずクリップ端部イを下弦材に懸けて、次に端部ロをイに絡める様、下弦材に絡める事でカイザートラス筋の抜け防止を図るもの。
【発明の効果】以上説明したごとく、本発明のクリップは、薄肉床版のカイザートラス筋を下端配筋と、堅個に繋ぐことを、短時間に行うことで、作業効率アップを図れる。
【００１３】
又、カイザートラスの定着力が高められる為、余分な吊りの為の金物部材が不要になります。
【００１４】
【図面の簡単な説明】
【図１】一般の、プレキャストコンクリート薄肉床版の、下端配筋とカイザートラス筋を組み込んで、本発明のクリップを組み込んだ姿図である。
【図２】本発明クリップの単品姿図である。
【図３】図１の本発明クリップ締め込み後の側面部分拡大図である。
【符号の説明】
１  本発明のクリップ
２  カイザートラス材の下弦材
３  カイザートラス材のトップ筋
４  下端配筋ユニットで、カイザートラスに直行筋
５  下端配筋ユニットで、カイザートラスと平行筋
【図１】
2004190466.tif 000003
【図２】
2004190466.tif 000004
【図３】
2004190466.tif 000005
(57)【要約】【課題】ブレーカをガタつかないように固定することができるブレーカ取付構造を提供する。【解決手段】ブレーカ１の電源側接続端子２ａを有する前面、及び負荷側接続端子２ｂを有する背面の下端部に係合部を設けると共に、取付台４に係合部を係止する係止手段５，６を設ける。また、取付台４のブレーカ取付面にブレーカ１を押し上げる方向に付勢する弾性部材１０を貼着する。ブレーカ１は弾性部材１０の上面に載置し、取付台４の係止手段５，６によりブレーカ１の係合部を係止してブレーカ１を固定する。【選択図】　　　　図１
2004147398.tif 000002
【特許請求の範囲】
【請求項１】
ブレーカの電源側接続端子を有する前面、及び負荷側接続端子を有する背面の下端部に係合部を設けると共に、取付台に前記係合部を係止する係止手段を設け、該係止手段により前記係合部を係止して前記ブレーカを固定するブレーカ取付構造において、前記取付台のブレーカ取付面に前記ブレーカを押し上げる方向に付勢する弾性部材を貼着したことを特徴とするブレーカ取付構造。
【発明の詳細な説明】
【０００１】
【発明の属する技術分野】
本発明は、分電盤内に装着するブレーカの取付構造に関する。
【０００２】
【従来の技術】
従来、ブレーカ取付構造としては、例えば特開２００２−３３０３９号公報に開示されるものがある。このブレーカ取付構造は、ブレーカ（１）の電源側接続端子（４ａ）を有する前面下部に係合部である突起体（５ａ）を設け、突起体（５ａ）に係止する係止手段としての固定係止片（７）を取付台（２）に形成し、ブレーカ（１）の負荷側接続端子（４ｂ）を有する背面下部に係合部である突起体（５ｂ）を設け、突起体（５ｂ）に係止する係止手段としての移動係止片（１３）を取付台（２）に前後動可能に組み付けた移動保治具（３）に形成し、移動保治具（３）は、先端にブレーカ（１）に掛止する掛止片（３ｂ）を設けてブレーカ（１）の前進移動操作に追従して移動させ、また前方へ移動した際に後退を阻止するロック機構部（１５）を設けている。ブレーカ（１）を前進移動させると、ブレーカ（１）の突起体（５ａ）が取付台（２）の固定係止片（７）に係止すると共に、移動係止片（１５）がブレーカ（１）の突起体（５ｂ）に係止することにより固定していた。
【０００３】
【発明が解決しようとする課題】
従来のブレーカ取付構造は、ブレーカの突起体（５ｂ）に移動係止片（１５）にスムーズに係止させるために突起体（５ｂ）と移動係止片（１５）との間に隙間が設けられており、このため、ブレーカを固定した際にガタつくというという問題があった。
【０００４】
そこで上記問題点に鑑み、本発明の目的は、ブレーカをガタつかないように固定するブレーカ取付構造を提供することである。
【０００５】
【課題を解決するための手段】
上記目的を達成するために、ブレーカの電源側接続端子を有する前面、及び負荷側接続端子を有する背面の下端部に係合部を設けると共に、取付台に係合部を係止する係止手段を設け、係止手段により係合部を係止してブレーカを固定するブレーカ取付構造において、取付台のブレーカ取付面にブレーカを押し上げる方向に付勢する弾性部材を貼着したことを特徴とする。
【０００６】
【発明の実施の形態】
ブレーカの電源側接続端子を有する前面、及び負荷側接続端子を有する背面の下端部に係合部を設けると共に、取付台に係合部を係止する係止手段を設ける。また、取付台のブレーカ取付面にブレーカを押し上げる方向に付勢する弾性部材を貼着する。ブレーカは弾性部材の上面に載置し、取付台の係止手段によりブレーカの係合部を係止してブレーカを固定する。
【０００７】
【実施例】
本発明に係るブレーカ取付構造の第１実施例を図１〜図３の添付図面に基づいて説明する。
【０００８】
ブレーカ１は電源側接続端子２ａを有する前面下部と、負荷側接続端子２ｂを有する背面下部とに係合部である突起体３ａ，３ｂが設けられている。
【０００９】
取付台４は、ブレーカ１の突起体３ａに係止する係止手段としての固定係止片５が形成され、突起体４に係止する係止手段としての移動係止片６を取付台４に前後動可能に組み付けた移動保治具７に形成している。
【００１０】
移動保治具７は、先端にブレーカ１に掛止する掛止片８を設けてブレーカ１の前進移動操作に追従して移動させ、また後端に前方へ移動した際に後退を阻止するロック機構部９を設けている。
【００１１】
また、取付台４のブレーカ取付面にはブレーカ１を押し上げる方向に付勢する板状の弾性部材１０が貼着されている。弾性部材１０は、例えば薄板体１０ａにスポンジ１０ｂを貼着したものが用いられる。
【００１２】
ブレーカ１は弾性部材１０の上面に載置する。そして、ブレーカ１の上部を少し押さえて弾性部材１０のスポンジをつぶした状態でブレーカ１を前進移動させると、ブレーカ１の突起体３ａが取付台４の固定係止片５に係止すると共に、移動係止片６がブレーカ１の突起体３ｂに係止し、移動保持具７のロック機構部９が取付台４にロックして固定される。
【００１３】
固定されたブレーカ１は弾性部材１０の復元力によって押し上げられ、突起体３ａと固定係止片５及び突起体３ｂと移動係止片６とが密着するため、ガタつきが発生しない。
【００１４】
ブレーカ１を取り外す場合は、移動保持具７のロック機構部９のツマミを摘んでロックを解除し、移動保持具７を後退させることにより、ブレーカ１は移動保持具７の掛止片８が掛止して引き出され、取り外すことができる。
【００１５】
図４及び図５は本発明の第２実施例であり、弾性部材の形状が第１実施例と異なっている。この弾性部材２０は薄板体２０ａの中央に板バネ部２０ｂが設けられた形状に形成されている。このように弾性部材は同様の機能を有するものであれば形状に限定はない。
【００１６】
また、本発明においてブレーカの係合部及び取付台の係止手段の構造について限定はなく、ブレーカの両端を固定する構造であれば良い。
【００１７】
【発明の効果】
以上説明したように、ブレーカの電源側接続端子を有する前面、及び負荷側接続端子を有する背面の下端部に係合部を設けると共に、取付台に係合部を係止する係止手段を設け、係止手段により係合部を係止してブレーカを固定するブレーカ取付構造において、取付台のブレーカ取付面にブレーカを押し上げる方向に付勢する弾性部材を貼着したことにより、ブレーカをガタつかないように固定することができるという効果がある。
【図面の簡単な説明】
【図１】本発明の第１実施例に係るブレーカ取付構造を示す斜視図である。
【図２】本発明の第１実施例に係るブレーカ取付構造を示す側面図である。
【図３】本発明の第１実施例に係る弾性部材を示し、（ａ）は平面図、（ｂ）は正面図、（ｃ）は底面図である。
【図４】本発明の第２実施例に係る弾性部材を示す斜視図である。
【符号の説明】
１…ブレーカ
３ａ，３ｂ…突起体
４…取付台
５…固定係止片
６…移動係止片
７…移動保持具
１０…弾性部材
【図１】
2004147398.tif 000003
【図２】
2004147398.tif 000004
【図３】
2004147398.tif 000005
【図４】
2004147398.tif 000006
(57)【要約】      （修正有）【課題】紙巻きタバコを覆うパイプ筒を設け、当該パイプ筒に枢着した脱着自在のタバコ吸い口を設けると共に、パイプ筒の中に断熱筒と火止めリングを設け、さらに当該パイプ筒に灰受け容積と副流煙軽減空気流入出孔と煙草ヤニ付着防止剤を備えたことを可能とし、安全、且つ衛生的に喫煙ができることを課題とした副流煙軽減と灰受け筒を付設したタバコパイプを提供する。【解決手段】タバコパイプは、パイプ筒１の中に断熱筒２と火止めリング３を設け、且つ副流煙軽減空気流入出孔４の調整手段と煙草ヤニ付着防止剤５を装着し、且つタバコ６の灰が散乱しないように灰受け容積をパイプ筒１に設け、前記パイプ筒１にタバコ６を挿入した吸い口７を備えていると共に、前記タバコ筒１の外形を八角形、または異形としたことにより、熱放散されて断熱筒２の温度が摂氏４６度以上の高温防止の効果が容易にできることを可能とし、さらにタバコ筒１と吸い口７の脱着部分には、割れ止めリング８が付勢されている機能を備えている。【選択図】    図３
2004147634.tif 000002
【特許請求の範囲】
【請求項１】
紙巻きタバコを覆うパイプ筒を設け、当該パイプ筒に枢着した脱着自在のタバコ吸い口を設けると共に、パイプ筒の中に断熱筒と火止めリングを設け、当該パイプ筒に灰受け容積と副流煙軽減空気流入出孔と煙草ヤニ付着防止剤を備えたことを特徴とする副流煙軽減と灰受け筒を付設したタバコパイプ。
【請求項２】
前記パイプ筒は、当該パイプ筒の中に断熱筒と火止めリングを設けたことを特徴とする請求項１記載の副流煙軽減と灰受け筒を付設したタバコパイプ。
【請求項３】
前記パイプ筒は、これに接合するタバコ吸い口を備え、前記パイプ筒と、その接合口にタバコを装着した前記タバコ吸い口とによって一体化を可能にしたことを特徴とする請求項１記載の副流煙軽減と灰受け筒を付設したタバコパイプ。
【請求項４】
前記パイプ筒は、副流煙軽減空気流入出孔の調整手段と煙草ヤニ付着防止剤を備えていることを特徴とする請求項１記載の副流煙軽減と灰受け筒を付設したタバコパイプ。
【請求項５】
前記パイプ筒は、灰受け容積を設け、且つ熱拡散の為異形としたことを特徴とする請求項１記載の副流煙軽減と灰受け筒を付設したタバコパイプ。
【発明の詳細な説明】
【０００１】
【発明が属する技術分野】
本発明は、タバコパイプに関する。
【０００２】
【従来の技術】
（１）従来においては、タバコのニコチン及びタール等を軽減することが主流であった吸い口だけのタバコパイプであり、実際にはタバコパイプを使用する喫煙家は、咥え喫煙が多く灰が散乱してしまう。（２）就寝時の喫煙は火災の原因となることが多い。（３）パソコン等を使用していてキーボードの中に灰を落とし故障の原因になっていることが多い。（４）隣の同席者、または人ごみの中で火傷をさせてしまう事故が多い。（５）副流煙が社会問題になっている。
【０００３】
【発明が解決しょうとする課題】
本発明は、上記（１）〜（５）の問題を解決することを目的とする。
【０００４】
【課題を解決するための手段】
上記目的を達成するために、本発明が提供するタバコパイプは、パイプ筒１の中に断熱筒２と火止めリング３を設け、且つ副流煙軽減空気流入出孔４の調整手段と煙草ヤニ付着防止剤５を装着し、且つタバコ６の灰が散乱しないように灰受け容積をパイプ筒１に設け、前記パイプ筒１にタバコ６を挿入した吸い口７を備えていると共に、前記タバコ筒１の外形を八角形、または異形としたことにより、熱放散されて断熱筒２の温度が摂氏４６度以上の高温防止の効果が容易にできることを可能とし、さらにタバコ筒１と吸い口７の脱着部分には割れ止めリング８が付勢されている機能を備えた副流煙軽減と灰受け筒を付設したタバコパイプである。
【０００５】
【発明の実施の形態】
【実施例】
以下、添付図面に従って一実施例を説明する。１は耐火性の自然木素材、または耐火性合成樹脂の素材、２は金属素材または合成樹脂素材、３は炭素系素材、または金属素材、５は特種塗料剤、７は、耐火性の自然木または合成樹脂素材、８は、耐火性合成樹脂を用いて構成される。
【０００６】
本発明の実施例は、上記の如き構成からなるタバコパイプでありタバコを覆ってしまうので安全、衛生的に喫煙できる。
【発明の効果】
本発明によれば、上記のような構成にしてあるから、次の効果を得ることができる。（１）喫煙時のタバコ灰が散乱しない。（２）置き忘れても火止めリングで消滅してしまうので火災の原因が防止できる。（３）隣人に触れても火傷等の事故を防止できる。（４）パソコン等、精密機器を使用中でも灰が直接に落ちないので故障防止になる。（５）行楽時の喫煙には、携帯灰皿として利用できる。（６）パイプ筒は、熱放散装置が備わっているので持って喫煙しても安全である。（７）パイプ筒に、煙草ヤニ付着防止剤を塗布してあるので味が損なわれない。（８）パイプ筒に、副流煙軽減流入出孔があるので嫌煙者に対しての迷惑が少なくて済む。
【図面の簡単な説明】
【図１】姿図
【図２】平面図
【図３】断面図
【符号の説明】
１  パイプ筒
２  断熱筒
３  火止めリング
４  副流煙軽減空気流入出孔
５  煙草ヤニ付着防止剤
６  紙巻タバコ
７  吸い口
８  割れ止めリング
【図１】
2004147634.tif 000003
【図２】
2004147634.tif 000004
【図３】
2004147634.tif 000005
(57)【要約】【課題】椎茸の栄養分を損なわずに、できるだけ細かい粉末にし、使用上の無駄を出さず、調理上の手間を省き短時間で調理に使用できるようにするとともに、流通コストを軽減し安定した価格で供給できるようにする。【解決手段】一般的な乾燥椎茸を、更に摂氏８０度で乾燥させることで、粉末化し易くし、製粉機で１００分の１〜３ミリまで粉末化して製品化する。【選択図】  なし。【特許請求の範囲】
【請求項１】
摂氏８０度で乾燥した椎茸を１００分の１〜３ミリまでの範囲で粉末化する製法。
【請求項２】
粉末化した製品。
【発明の詳細な説明】
【０００１】
【発明の属する技術分野】
本発明は、椎茸を摂氏８０度で乾燥することにより、椎茸の養分を損なわずに香りを良くし、より細かい粉末化を容易にし、調理ダシ、ティーバッグ状のお茶などの多用途に簡便に利用できるようにしたものである。また、椎茸の色、形、大きさ、種類などに関係なく原料として使用できるため、選別の手間が省け、価格もほぼ安定する。
【０００２】
【従来の技術】
従来、乾燥椎茸は概ね摂氏６０度程度で乾燥仕上げされており、細かい粉末化には適さない。そのため、用途により多量に必要となり無駄も多かった。また、調理の際、水に戻すなどの手間を要するため、調理時間が長くかかるとともに、運搬費などのコストが高くなるため、商品価格が高いという難点があった。
【０００３】
【発明が解決しようとする課題】
椎茸の栄養分を損なわずに、できるだけ細かい粉末にすること。無駄を出さずに便利に使用できる製品とすること。調理上の手間を省き短時間で調理に使用できるようにすること。流通コストを軽減し安定価格で供給できるようにする。
【０００４】
【課題を解決するための手段】
一般的な乾燥椎茸を、更に摂氏８０度という高温で乾燥させることにより、粉末化をし易くした。また、粉末化したことにより、無駄なく使用でき、調理の手間を省き、併せて、運搬費等の流通コストを軽減させることができる。
【０００５】
【発明の実施の形態】
本発明は、従来の乾燥椎茸を更に摂氏８０度で２時間乾燥し、それを製粉機で１００分の１〜３ミリの粉末状に仕上げたものである。
【０００６】
【発明の効果】
生椎茸よりも栄養価が高いと言われる乾燥椎茸だが、調理の場合など水で戻す作業に時間を要すると同時に、戻す時に栄養分が流出するという危惧を拭えない。また、製品としての流通コストが高くかかるため、価格にも影響している。これを粉末化すれば、栄養価を損なわず、流通コストも軽減され、更に多様な用途に利用することが可能となり、簡便に使用できる商品として消費生活に貢献できる。
(57)【要約】【課題】ペットとして猫を家の中で飼っている人は多い、そして人間の先入観で猫はし尿後必ずその汚物を隠すように砂をかける。従って猫のトイレは砂を置くと決めて今日まで来た。本発明は猫が用済み後に行う砂掻きで周辺が不潔になる事、その砂の散乱を無くする事と、その汚物の処理を簡便にする事、しかし猫の習性はそのまま生かせるようにすること、又猫のし尿の臭気が強い事などから、都会のマンション等では飼えない等の不便があった。これらを解決する完全な猫用トイレットを提供することにある。【解決手段】便器全体を円形にすることで汚物が自然落下する工夫をした。猫にはリブ付きメッシュで砂を掻くと同じ満足を与え、周辺の汚染を防いだ。又動物の臭気の強さを緩和するため底に取り外しのできる水タンクを設置した。猫は飼い主の躾をよく守るので出入り口と便座を慣れさせることで、自然に便器でし尿をするようになる。円形で部屋の何処においても置物感覚で清潔感と美観を満たす、猫好きの老若男女が安心して飼う事が出来るために円形にした事で解決した猫用トイレットである。【選択図】図２
2004147631.tif 000002
【特許請求の範囲】
【請求項１】
円形にすることで，室内の何処にでも置く事が出来、円形にしたことで，猫の足場の部分のリブ付きのメッシュから、自動的に猫のし尿が底の水タンクに落下する猫用トイレット。
【請求項２】
円形の底に水タンクを置き、猫のし尿と一緒に、人間用の水洗トイレに流して処理する猫用トイレット。
【発明の詳細な説明】
【０００１】
【発明の属する技術分野】本発明は愛玩動物である猫のトイレットに関するものである。
【０００２】
【従来の技術】従来の猫用の便器は、各家庭でダンボール箱等に新聞紙をしき、そこに砂を置いたり、二重になった内箱が網目状になっていて、そこに砂などを置き、そこで猫がし尿をするもので、猫は用を足すと砂をかきまぜる習性があるため、部屋を汚す不便と臭気が強く不潔感があった。
又、都会では砂の購入に経費が係ると共に老人には重いという負担等があった。
更に、家庭ゴミとして捨てるため、生ゴミの収集指定日まで保管をしなければならない不便があった。
【０００３】
【発明が解決しようとする課題】砂等を使用しないで、猫の習性を生かしながら、猫のし尿の臭気を軽減し、清潔であり、猫の健康に考慮し、都会の住宅でも安心して猫を飼うことができるための猫用トイレットの提供にある。
【０００４】
【課題を解決するための手段】本発明は円形に構成し、猫の出入り口から入って、便座の上でし尿をする。その底には簡単に取り外しができる水タンクを設置する。猫がし尿をするときの足場はリブ付きメッシュになっている合成樹脂からなり、し尿は落とし穴から落下して水タンクに入る。此処で臭いは緩和され、その水と一緒に家庭の水洗トイレで流すものである。猫は用が足されると前足で砂を掻き混ぜるようにリブ付きメッシュをかいて納得し満足する。
【０００５】
【発明の実施の形態】猫は飼い主が躾けると従順に守る動物で、愛玩動物として２匹も３匹も飼っている家が多い。本発明は猫の特性を生かし、何処にでも置けて、猫が何時でも利用出来る事を目的とした円形のベンキ１にした。以下添付図面にしたがって説明する。
猫は猫の出入り口７から入り、リブ付きメッシュ４の上でし尿をする。その汚物は汚物落とし穴５から落下し、水タンク１１に入る。取り外し簡単な水タンクの便器の汚物は人間の水洗トイレに流す。
本発明猫用トイレットは円形で、プラスチック又は陶器等で出来ているので室内の置物にもなる。又持ち運びに便利なことから、飼い主とともに旅行ができる。
【発明の効果】以上説明した通り、本発明はペットの猫が簡単に躾る事で利用出来るトイレットで、清潔で、し尿の処理は人間の水洗トイレに流すことができ、臭気を緩和するので都会の住宅事情のなかでも安心してペットとして猫を飼う事ができる大きな効果がある。
【図面の簡単な説明】
【図１】本発明の平面図
【図２】本発明の正面図
【図３】本発明の右側面図
【図４】本発明の断面図
【符号の説明】
１、便器
２、便器カバー
３、中ザル
４、リブ付きメッシュ
５、汚物落とし穴
６、持ち手
７、猫出入り口
８、紙パット
９、紐
１０、紐通し穴
１１、水タンク
【図１】
2004147631.tif 000003
【図２】
2004147631.tif 000004
【図３】
2004147631.tif 000005
【図４】
2004147631.tif 000006
(57)【要約】      （修正有）【課題】カクテル用飲料の風味改善方法の提供。【解決手段】カクテルベース用に適したカクタスマルガリータを提供する。カクタスマルガリータとは、米国のアリゾナ州やアフリカに産出するプルックリペアカクタス（とげサボテン）の果実エキスを用いて、カクタスピューレ又はカクタスジュースとしたものである。当該カクタスマルガリータをビールやテキーラ等のアルコール飲料に添加すると、飲みやすく、味・風味も良好。アルコールの強さ等に大変良い結果を得た。ビール等のアルコール飲料の飲めない人、弱い人又は風味を味わいたい人等に対し、プルックリペアカクタスマルガリータを適量添加することにより、今迄にないカクテル用飲料を提供することができた。【選択図】なし【特許請求の範囲】
【請求項１】
プリックリペアカクタスの果実エキスを主成分とするカクテルベース用カクタスマルガリータ。
【請求項２】
上記請求項１に記載のプリックリペアカクタスの果実エキスに、水、砂糖、ライムジュース、クエン酸及び安息香ナトリウムを添加したカクテルベース用カクタスマルガリータ。
【請求項３】
上記請求項１に記載のカクテルベースがビールベース及びテキーラベースであるカクテルベース用カクタスマルガリータ。
【発明の詳細な説明】
【０００１】
本発明はカクテルベース用に適したカクタスマルガリータを提供するものである。カクタスマルガリータはプリックリペアカクタス（とげサボテン）の果実エキスを用いて、カクタスピューレ又はカクタスジュースとしたものである。
【０００２】
従来、サボテンを用いた食品等が存在するがすべてがサボテンの葉を用いたものが多く存在し、本発明はこれまでにない新規なものである。
【０００３】
また、先行技術の特許公開公報として、サボテン入り冷果（特開平８−３３２０）、サボテン科植物成分の起泡剤入り食品及び飲料（特開平１１−１２３０７３）、プリックリペアカクタスの果実の皮から得られた生理活性物質を添加した薬用、美容及び栄養組成物（特表２００１−５０８４２４）が開示されているが、本発明は、これ等とは相違する新規な発明である。
【０００４】
本発明のカクテルベース用カクタスマルガリータの実施例１について説明する。
カクタスジュース（プリックリペアカクタスの果実エキス）      １６  ％
水                                                          ５５  ％
その他に、残量として、砂糖、ライムジュース、クエン酸及び安息香酸ナトリウムを適量添加する。
【０００５】
プリックリペアカクタスの果実エキスは、添加量としては、１〜１００％でも良いが、効率的には、１５〜２０％が好ましい。
【０００６】
上記実施例１からなるカクテルベース用カクタスマルガリータを次の各種カクテルベースに配合した結果、飲みやすく、味・風味も良好でアルコールの強さ等に大変良いと好評を得た。
【０００７】
2004147632.tif 000002
冷えたビールグラスにカクテルマルガリータを入れてビールを満たす。
【０００８】
実施例２に対するパネル２５人（試飲者の）評価を次に示す。
2004147632.tif 000003
【０００９】
2004147632.tif 000004
これ等をシェークしてスノースタイルにしてグラスに注ぐ。
【００１０】
実施例３に対するパネル（試飲者）２３人の評価を次に示す。
2004147632.tif 000005
【００１１】
本発明のカクテルベース用カクタスマルガリータは上記実施例２、３の評価において大変良好な結果が得られた。
(57)【要約】【課題】給水栓ＢＯＸの沈下傾きがあると給水管、給水栓の破損又は給水栓ハンドルの円滑な操作が出来ない。【解決手段】主軸杭を側面に両方向１本づつ打込み固定支持金具で固定し傾き、沈下を防ぐ物とする。【選択図】図１
2004147626.tif 000002
【特許請求の範囲】
【請求項１】
給水栓ボックスを固定する為の主軸及び支持金具
【発明の詳細な説明】
【０００１】
【発明の属する技術分野】本発明は田畑に給水する為の給水栓ボックスに関する技術
【０００２】
【従来の技術】従来の給水栓ボックスには保護する設備がない。
以下、写真１・２により従来の給水栓ボックスについて説明する。
2004147626.tif 000003
【０００３】
【発明が解決しようとする課題】吐水及び軟弱地盤によって給水栓ボックスの傾き、沈下を防止する事。
2004147626.tif 000004
【０００４】
【課題を解決するための手段】給水栓の両横に主軸ぐいを打ち込んで支持金具と締め付けボルトで固定する
【０００５】
【発明の実施の形態】
2004147626.tif 000005
【０００６】
【実施例】
2004147626.tif 000006
【０００７】
【発明の効果】従来の技術と違う点として従来は給水栓ボックスの下に木ぐい又はブロック等を敷いて対応していた。
しかし、この事によって以下の問題点が発生する。
石やブロック等は地盤と共に傾斜、沈下する。
↓
・そのままの使用は大変に不便が生じる。
・水田持ち主の掘削補修労力が頻繁に必要となる。
・給水栓の配管設置のやり直しによる経費がかかる。
・支持金具ガスライドできる事によって主軸杭を打込んだ時、地盤の硬さ状況によって切断できる
・給水栓ＢＯＸが設置後でも容易に取付が可能
・押ネジ先端をテーパーにして置く事によって支持力が大になる。
以上の問題点が支持金具を取り付ける事によってすべて解消される。
【図面の簡単な説明】
【図１】主軸ぐいの正面図である。
【図２】主軸ぐいの側面図である。
【図３】給水栓の平面図である。
【図４】支持金具の平面図である。
【図１】
2004147626.tif 000007
【図２】
2004147626.tif 000008
【図３】
2004147626.tif 000009
【図４】
2004147626.tif 000010
(57)【要約】【課題】手首で簡単に装着出来る、釣り人用リストバンド形手甲を提供する。【解決手段】手の甲を覆う半円形の形をした布、手甲（１）に指入れ（２）を設け、手首に簡単に装着出来る、リストバンド（３）を一体化したことを特徴とする。【選択図】    図１
2004147627.tif 000002
【特許請求の範囲】
【請求項１】
手の甲を覆う半円形の形をした布、手甲（１）に指入れ（２）を設け、手首で装着出来る、リストバンド（３）と一体化した、釣り人用リストバンド形手甲。
【発明の詳細な説明】
【０００１】
【発明の属する技術分野】
この発明は、従来の手甲をリストバンド形にして、釣り人等が使用しやすくしたものである。
【０００２】
【従来の技術】
従来、釣り人用の手甲というのは、市場では見当たらず、農業等に、携わる人が日焼け防止に腕までの長い手甲は使用されている。
【０００３】
【発明が解決しようとする課題】
これは次のような欠点があった。
釣り人というのは、竿を持つ手の甲、顔、首等肌の露出している所の、日焼けが酷く、顔、首等は、帽子、タオル等で日焼けを防止出来るが、手の甲は困難であった。
【０００４】
【課題を解決する為の手段】
手の甲を覆う半円形の形をした布、手甲（１）に指を入れ（２）を設け、手首で装着出来る、リストバンド（３）と一体化した。
本発明は、以上のような構成よりなる、釣り人用リストバンド形手甲である。
【０００５】
【発明の実施の形態】
以下、本発明の実施例について説明する
手の甲を覆う半円形の形をした布、手甲（１）に、指入れ（２）を設け、手首で装着出来るように、リストバンド（３）と一体化した、釣り人用リストバンド形手甲である。
但し、リストバンドは布の中に縫い込んだ、ゴムバンド等の収縮するものである又指入れ（２）の位置というのは、中指又は親指、どちらの位置でもよい。
本発明は、以上のような構造で、これを使用する時は、リストバンド（３）側から手を差し込み、手甲（１）の指入れ（２）に指を差し込み、簡単に装着することが出来る、釣り人用リストバンド形手甲である。
なお、図３に示すように、布で作られたリストバンドの両端に、マジックテープを縫い付け、手首に装着出来るものでもよい。
【０００６】
【発明の効果】
手の甲を日焼けから防止するのに、簡単に装着出来、便利である。
【図面の簡単な説明】
【図１】本発明の斜図である。
【図２】本発明の実施例を示す正面図である。
【図３】本発明の他の方法を示す斜図である。
【符号の説明】
１  手甲
２  指入れ
３  リストバンド
【図１】
2004147627.tif 000003
【図２】
2004147627.tif 000004
【図３】
2004147627.tif 000005
(57)【要約】【課題】駆動周波数範囲の全域において最適な電流値を得ることができる超音波モータの速度制御回路を提供する。【解決手段】駆動範囲の各周波数で駆動状態の超音波モータ４と昇圧トランス１５，１６との合成インピーダンスに対して、マッチングが取れるように外付けコンデンサ４１，４２の静電容量を調整し付加することにより、駆動範囲全域で最適な電流値が得られるように構成する。【選択図】　　図１
2004147466.tif 000002
【特許請求の範囲】
【請求項１】
圧電素子に与える周波数を変動させてモータの速度制御を行う超音波モータの速度制御回路において、前記圧電素子自体の静電容量のばらつきと昇圧トランスのインダクタンスのばらつきを抑え、前記超音波モータと昇圧トランスとの合成インピーダンスに対してマッチングが取れるように調整したコンデンサを付加して前記合成インピーダンスを補正したことを特徴とする超音波モータの速度制御回路。
【発明の詳細な説明】
【０００１】
【発明の属する技術分野】
本発明は、超音波モータの駆動速度回路に関し、特に、インピーダンス補正された超音波モータの速度制御回路に関する。
【０００２】
【従来の技術】
従来、超音波モータの速度制御に関しては、周波数制御によりモータ回転数を制御する方法が一般的に知られていた。ここで、超音波モータの共振周波数のばらつきや静電容量のばらつき等の要因で、個々のモータの特定回転数に対する制御周波数の値は一定でない。各モータに対して共振周波数を検出し、モータの特性を合わせこむには装置およびソフト処理の煩雑さが避けられない。
そこで、超音波モータの静的静電容量が昇圧トランスとマッチングが取れるように調整したコンデンサを付加することで超音波モータ構成品としての静電容量が同じになるように調整し、制御を簡易化する方法があった（特許文献１参照）。
【０００３】
【特許文献１】
特開平９−１０３０８２号公報
【０００４】
【発明が解決しようとする課題】
しかしながら、超音波モータの駆動時にはインピーダンスが変化するため、超音波モータ単体の静的静電容量を測定して調整する従来の方法では、駆動周波数範囲の全域において最適な電流値を得ることができないという問題があった。すなわち、駆動時の回路全体のインピーダンスに対して調整されていないため、超音波モータ単体の静電容量を測定しただけでは、駆動周波数全域におけるインピーダンスの変化に対応できないためです。
そこで本発明の目的は、駆動周波数範囲の全域において最適な電流値を得ることができる超音波モータの速度制御回路を提供することにある。
【０００５】
【課題を解決するための手段】
上記目的を達成するために本発明は、圧電素子に与える周波数を変動させてモータの速度制御を行う超音波モータの速度制御回路において、前記圧電素子自体の静電容量のばらつきと昇圧トランスのインダクタンスのばらつきを抑え、前記超音波モータと昇圧トランスとの合成インピーダンスに対してマッチングが取れるように調整したコンデンサを付加して前記合成インピーダンスを補正したことを特徴とする超音波モータの速度制御回路を提供する。
【０００６】
上記構成によれば、駆動範囲の各周波数で駆動状態の超音波モータと昇圧トランスとの合成インピーダンスに対してマッチングが取れるように外付けコンデンサの静電容量を調整し付加することにより、回路の合成インピーダンスが大きくなり、駆動電流が小さくなる状態になり、駆動範囲全域で最適な電流値が得られる。
【０００７】
【発明の実施の形態】
以下、図面を参照して、本発明の実施の形態について説明する。
図１は、本発明による超音波モータの周波数制御による速度制御回路の実施例を示すブロック図である。図において、４は超音波モータ本体（ＵＳＭ）、１５、１６は昇圧トランス、４１、４２は合成インピーダンス調整用の外付けコンデンサである。図２は、本発明による超音波モータの外観構成図である。図において、４３はフレキシブル電気基板（ＦＰＣ）、４４は圧電素子、４５はステータ、４６はロータ、４７は回転軸である。
【０００８】
図１において、マイコン（ＣＰＵ）１は要求する回転数で超音波モータ（ＵＳＭ）４を回転させる際、回転数に見合った電圧をＤ／Ａ変換して出力し、周波数発生回路２に供給する。周波数発生回路２は、Ｖ／ｆ変換回路１０にて与えられた電圧に応じてパルス周波数を発生し、分配器１１にてこれを９０°ずつ位相をずらして４分配し、増幅回路に供給する。
【０００９】
増幅回路は、４個のスイッチングトランジスタ１４ａ，１４ｂ，１４ｃ，１４ｄと２組の昇圧トランス１５，１６から構成されており、周波数発生回路２で与えられたパルス周波数でスイッチングトランジスタを制御して昇圧トランスにより増幅されたｓｉｎωｔ、ｃｏｓωｔの位相が９０°異なる２つの交流電圧を出力する。超音波モータ（ＵＳＭ）４はこの９０°異なる交流電圧により駆動される。
【００１０】
そこで駆動回路にコンデンサ４１および４２を付加し、駆動状態の超音波モータ４と昇圧トランス１５，１６との合成インピーダンスを調整する。特定回転数を得られる制御周波数において、コンデンサを付加した回路で超音波モータを駆動し、駆動電流を測定する。ここでコンデンサの静電容量を調整して最適な電流値を得られるようにする。このように決定したコンデンサで駆動範囲の全域において電流低減効果が有るコンデンサを使う。
【００１１】
以下、フローチャートを用いて説明する。
図３は、駆動回路にコンデンサ４１および４２を付加し、駆動状態の超音波モータ４と昇圧トランス１５，１６との合成インピーダンスを調整する過程を説明するためのフローチャートである。まず、駆動状態の超音波モータ４と昇圧トランス１５，１６との合成インピーダンスを測定する。次に、駆動範囲の各周波数で駆動状態の超音波モータと昇圧トランスとの合成インピーダンスに対してマッチングが取れるように外付けコンデンサの静電容量を調整し付加する。次に、特定回転数を得られる制御周波数において、コンデンサを付加した回路で超音波モータを駆動し、駆動電流を測定して所定の駆動電流値か確認する。規格値内になれば補正終了となる。規格値外であれば、繰り返し調整し規格値内になるように調整する。
【００１２】
【発明の効果】
以上説明したように本発明は、駆動状態の超音波モータと昇圧トランスの合成インピーダンスに対して外付けコンデンサでインピーダンス補正を行うことにより、回路全体の合成インピーダンスがマッチングを取れた状態になり、超音波モータと昇圧トランスのばらつきを抑え込め、駆動範囲全域で超音波モータの駆動電流の低減を計れる。
【図面の簡単な説明】
【図１】本発明の超音波モータの周波数制御による速度制御回路のブロック図
【図２】本発明の超音波モータの構成を示す概観図
【図３】超音波モータの静電容量調整過程を説明するためのフローチャート
【符号の説明】
１　　マイコン
２　　周波数発生回路
４　　超音波モータ（ＵＳＭ）
１５、１６　　昇圧トランス
４１、４２　　コンデンサ
４３　　フレキシブル電気基板（ＦＰＣ）
【図１】
2004147466.tif 000003
【図２】
2004147466.tif 000004
【図３】
2004147466.tif 000005
(57)【要約】【目的】無線マウスや無線テンキーを携帯電話に内蔵する事により、外出先でモバイルノートパソコンの操作性が向上するようにする。又、無線マウスは重いと手が疲れる為、本発明を２つに切り離せる構造にする。又余計なコード類やアダプター無しで、パソコン用データ通信モジュールとしての使用やパソコン充電を可能にする。【構成】携帯電話のボタンの１部をマウスやテンキーとして使いやすいよう改良し、マウスの動きを認識するモーションセンサー（光センサー、加速度センサー、角速度センサー等）を内蔵、又、近距離無線通信規格（ブルートゥース，ＩＥＥＥ８０２．１，赤外線通信，微弱無線等）を内蔵する。又本体がインターフェイス端子とインターフェイスプラグ（ＵＳＢ又はＩＥＥＥ１３９４等）により二分割可能とする。【選択図】図３
2004147272.tif 000002
【特許請求の範囲】
【請求項１】
モバイルノートパソコン用の無線マウス及び無線テンキーとして使用可能な携帯電話
【請求項２】
インターフェイス端子（ＵＳＢ又はＩＥＥＥ１３９４等）により本体が液晶表示部と通信モジュール部に二分割可能となり、マウスモード使用時に軽く出来、更にインターフェイスプラグを直接モバイルノートパソコンのインターフェイス端子へ差し込むとデータ通信モジュールとしても使用可能な携帯電話
【発明の詳細な説明】
【０００１】
【発明の属する技術分野】
本発明は携帯電話のボタンを改良し、マウスの動きを認識するモーションセンサー（光学式マウス用の光センサー，加速度センサー，角速度センサー等）を内蔵、又、近距離無線通信規格（ブルートゥース，ＩＥＥＥ８０２．１，赤外線通信，微弱無線，等）を内蔵した事により、モバイルノートパソコン用の光学式無線マウス及び無線テンキーとして使用可能にしたもので、本発明本体がインターフェイス端子及びインターフェイスプラグ（インターフェイス規格はＵＳＢ又はＩＥＥＥ１３９４等）により液晶表示部と通信モジュール部に二分割可能となっており、モバイルノートパソコンのインターフェイス端子に直接差し込むデータ通信用モジュールとしても使用可能となっている。
【０００２】
【従来の技術】
従来、モバイルノートパソコンユーザーは外出先では極力荷物を軽くしたい為、マウスやテンキーを持っていない事が多くモバイルノートパソコンの操作性が落ちる問題点を有していた。又、携帯電話を使用してモバイルノートパソコンのデータ通信を行う場合は、モバイルノートパソコンと携帯電話を接続する為のケーブルを別に用意する必要があった。
【０００３】
【発明実施の形態】
本発明は携帯電話をモバイルノートパソコン用の無線マウス及びテンキーと
して使用可能にし、又液晶パネル部分がインターフェイス端子とインターフェイスプラグ（ＵＳＢ、又はＩＥＥＥ１３９４等）により離脱着可能となり、そのインターフェイスプラグを利用したデータ通信モジュールとして使用可能としたものである。それを図面について説明すれば、スイッチ１により、携帯電話モードと無線マウスモードに切換え出来るようにし、無線マウスモード使用時にはボタン２を左クリックボタン、ボタン３を右クリックボタン、中央のキー４（十字キー又は、上下キー）をパソコン画面スクロールキー、数字ボタン５をテンキー、＃ボタン６をリターンキーとして使用可能にしたものである。クリックやリターンが行いやすいようにボタン２，ボタン３，＃ボタン６は大きめに設計してある。又、本発明をインターフェイス端子７とインターフェイスプラグ８（ＵＳＢ又はＩＥＥＥ１３９４等）により本体Ａ（液晶表示部）と本体Ｂ（通信モジュール部）を接合し、ロック解除ボタン９を押しロックを解除することで、ロック用フック１０がロック用フツク差込み口１１から外れ、本発明を二分割可能にしたものである。本体Ｂ側のインターフェイスプラグ８をモバイルノートパソコン用の同規格インターフェイス端子に接続して使用可能なモバイルノートパソコンのデータ通信用モジュールとしても使用可能にしたものである。モバイルノートパソコンとの近距離無線通信規格はブルートゥース、又はＩＥＥＥ８０２．１、又は赤外線通信、又は微弱無線を内蔵してある。マウスの動きを認識するモーションセンサーとしては光学式マウス用の光センサー１２（又は加速度センサー，角速度センサー等）を内蔵してある。
【０００４】
【発明の効果】
このようにすれば、外出先では極力荷物を軽くしたいモバイルノートパソコンユーザーも、本発明を携帯することにより、無線マウスや無線テンキーを常に使用出来る為外出先でのモバイルノートパソコンの操作性が格段に上がるようになる。又、無線マウスは重いと手が疲れるが、本発明は二分割可能な構造にした事により、無線マウスモード使用時の本発明を軽くする事が出来るようになる。又本発明のインターフェイスプラグをモバイルノートパソコンの同規格インターフェイス端子に直接差し込み、データ通信用モジュールとしての使用やパソコン充電が出来るようになる為、モバイルノートパソコンと携帯電話を接続するケーブルやコネクタが不要となる。又本発明の二分割可能な構造は製造メーカ側にとっては、不良発生時に液晶表示周りやカメラ部が不良の場合は本体Ａのみ交換、通信モジュール部や操作ボタン部が不良の場合は本体Ｂのみ交換出来る為、歩留まり率向上、不良対応の迅速化の効果が期待出来る。更に本体Ｂ側を共通にして、本体Ａ側のバリエーションを揃える事で（カメラ付き，背面液晶パネル付き，表面液晶パネルのサイズを変更，等）同一モデルの購入時のバリエーション選択や購入後のバージョンアップがユーザー側で可能となる。
【図面の簡単な説明】
【図１】本発明の正面図である。
【図２】本発明の背面図である。
【図３】本発明を二分割した状態を示す斜面図である
【図４】本発明を本体Ａ（液晶表示部）と本体Ｂ（通信モジュール部）の二つに切り離すやり方を示す参考図である。
【図５】本発明（本体Ｂ）の「無線マウスモード」使用時の参考図である。
【図６】本発明をモバイルノートパソコン用のデータ通信用モジュールとして使用時の参考図である。
【符号の説明】
１　「携帯電話モード」と「無線マウスモード」の切換えスイッチ
２　左クリックボタン（無線マウスモード時）
３　右クリックボタン（無線マウスモード時）
４　パソコン画面スクロールキー（無線マウスモード時）
５　テンキー（無線マウスモード時）
６　リターンキー（無線マウスモード時）
７　インターフェイス端子
８　インターフェイスプラグ
９　本体Ａ（液晶表示部）と本体Ｂ（通信モジュール部）切り離す際に使用するロック解除用ボタン
１０　本体Ａ（液晶表示部）と本体Ｂ（通信モジュール部）を接続及び、切り離す際に使用するロック用フック
１１　本体Ａ（液晶表示部）と本体Ｂ（通信モジュール部）を接続及び、切り離す際に使用するロック用フック差込み口
１２　光学式マウス用光センサー（マウス用のモーションセンサーに光センサーを採用した場合に搭載する）
※携帯電話モード使用時は従来の携帯電話とボタン操作に変更が無い為、携帯電話モード使用時の符号説明は省略した。
【図１】
2004147272.tif 000003
【図２】
2004147272.tif 000004
【図３】
2004147272.tif 000005
【図４】
2004147272.tif 000006
【図５】
2004147272.tif 000007
【図６】
2004147272.tif 000008
(57)【要約】【課題】衣服のポケットや腰ベルトに装着して、脱落しにくく携帯しやすいように、携帯電話の片面にクリップをつけたクリップつき携帯電話を提供する。【解決手段】携帯電話（１）の片面にクリップ（２）を設けたクリップつき携帯電話を特徴とする。【選択図】　図３
2004147269.tif 000002
【特許請求の範囲】
【請求項１】
携帯電話（１）の片面にクリップ（２）を設けたクリップつき携
帯電話。
【発明の詳細な説明】
【０００１】
【発明の属する技術分野】
この発明は、携帯電話の片面に落下防止の為のクリップをつけたクリップつき携帯電話に関するものである。
【０００２】
【従来の技術】
従来、携帯電話本体には落下防止の為のクリップのついたものは無かった。
【０００３】
【発明が解決しようとする課題】
これはつぎのような欠点があった。
従来携帯電話は、衣服のポケット等に入れて持ち歩くがポケットが下向きになった場合や、何かのはずみで落としてしまうことがある。
本発明は、以上のような欠点を失くすためになされたものである。
【０００４】
【課題を解決するための手段】
携帯電話（１）の片面にクリップ（２）を設ける。
本発明は、以上の構成よりなるクリップつき携帯電話である。
【０００５】
【発明の実施の形態】
以下、本発明の実施の形態について説明する。
携帯電話（１）の片面に、脱落防止のためのクリップ（２）を設ける。
本発明は、以上のような構造でこれを使用するときは、衣服のポケットに携帯電話を入れ付属のクリップでポケットの縁を挟み固定する。
腰ベルトにクリップつき携帯電話を固定する場合、携帯電話本体がベルトの外側になるように付属のクリップでベルトを挟み固定する。
【０００６】
【発明の効果】
衣服のポケットの中に、本発明品を入れ付属のクリップでポケットの縁を挟めば簡単に脱落したりしない。
腰ベルトに本発明品を固定する場合携帯電話本体が腰ベルトの外側になるように付属のクリップでベルトを挟めば携帯しやすく外れにくい。ズボンのポケットに入れて携帯するのにくらべ窮屈感も無い。
【図面の簡単な説明】
【図１】本発明の正面図である。
【図２】本発明の側面図である。
【図３】本発明を服のポケットに携帯した場合の斜視図である。
【図４】本発明を腰ベルトに装着した場合の側面図である。
【符号の説明】
１　携帯電話
２　クリップ
３　衣服のポケット
４　腰ベルト
【図１】
2004147269.tif 000003
【図２】
2004147269.tif 000004
【図３】
2004147269.tif 000005
【図４】
2004147269.tif 000006